(57)【特許請求の範囲】
【請求項１】
回転駆動される指針と、
前記指針の先端部にて指示される意匠が施された表示部、及び当該表示部の外周を取り囲み、その内周縁から外周縁にわたって反射率が次第に変化する透明透光性のグラデーション印刷が施された印刷部が表面に設けられた文字板と、
前記印刷部を前記文字板の表面側から照明する第１の照明手段と、
を備え、
前記第１の照明手段が、光源、及び当該光源からの光を集光して前記印刷部に向けて射出する導光部材、を含み、
前記導光部材の射出面において、前記印刷部の内周縁又は外周縁のいずれか反射率が高い前記グラデーション印刷が施された周縁側に向けて光を射出する面が凸面に、他方の反射率が低い前記グラデーション印刷が施された周縁側に向けて光を射出する面が凹面に形成されていることを特徴とする計器装置。
【請求項２】
前記印刷部を前記文字板の裏面側から照明する第２の照明手段をさらに備えたことを特徴とする請求項１に記載の計器装置。
【請求項３】
前記印刷部が、その内周縁から外周縁に向けて前記表示部の前方又は後方に傾斜していることを特徴とする請求項１又は請求項２に記載の計器装置。
【請求項４】
前記グラデーション印刷が、前記印刷部の内周縁又は外周縁のいずれか前に位置する周縁から他方の周縁に向けて反射率が変化することを特徴とする請求項３に記載の計器装置。
【発明の詳細な説明】
【技術分野】
【０００１】
本発明は、例えば自動車等の車両に搭載される計器装置に関する。
【背景技術】
【０００２】
従来、この種の計器装置にあって、指針により指示される意匠が施された文字板に立体感を醸し出させるようにしたものが知られている（例えば、特許文献１，２参照）。
【０００３】
図５に示すように、特許文献１に開示された計器装置１００は、回転計１０１と、速度計と、燃料計と、水温計と、を備えた複合計器装置であり、駆動装置により回転駆動される計器毎の指針と、指針により指示される意匠が施された表示部が設けられた計器毎の文字板と、を備えている。
【０００４】
さらに図６を参照して、回転計１０１は、駆動装置により回転駆動される指針１０２と、指針１０２の先端部により指示される文字などの意匠が施された円形の表示部１０４が設けられた文字板１０３と、を含んでいる。そして、文字板１０３には、表示部１０４を取り囲み、その内周縁から外周縁に向けて該表示部１０４の後方（即ち、目視方向に表示部１０４よりも奥側）に傾斜した傾斜部１０５がさらに設けられている。
【０００５】
図７に示すように、傾斜部１０５には、例えば青色、黄色、桃色などの有彩色の色調のインクにより、その内周縁から外周縁に向かって次第に色が濃くなるグラデーション印刷が施されている。そして、計器装置１００には、傾斜部１０５の外周に配置されて該傾斜部１０５を照明する照明手段としての光源１０７及びこの光源１０７の光を集光して傾斜部１０５に向けて照射する導光部材１０８が設けられている。
【０００６】
このように構成された計器装置１００では、光源１０７の光が導光部材１０８を介して傾斜部１０５に照射され、その際、傾斜部１０５に施されたグラデーション印刷により該傾斜部１０５は、その内周縁から外周縁に向かうに従って次第に色が濃くなるように光輝して表示部１０４を取り囲む。それにより表示部１０４を前方に浮かび上がらせるような立体感が醸し出される。
【０００７】
【特許文献１】特開２００２−２９６０７８号公報
【特許文献２】特開２００２−１２０５６号公報
【発明の開示】
【発明が解決しようとする課題】
【０００８】
上記特許文献１に開示された計器装置１００においては、有彩色の色調のインクにより傾斜部１０５にグラデーション印刷が施されており、また、上記特許文献２に開示された計器装置においても同様である。しかし、このような単純な着色印刷によると、グラデーション印刷によっても傾斜部１０５の光輝がのっぺりしたものとなり、十分な立体感を醸し出すには至らず、また、照明の有無によらず常にインクの色調に視認されることとなり、デザイン的にも平凡である。
【０００９】
本発明は、上述した事情に鑑みてなされたものであり、その目的は、十分な立体感を醸し出し、それにより視認性の向上を図ることができると共に、さらにデザイン的にも優れた計器装置を提供することにある。
【課題を解決するための手段】
【００１０】
上記目的は、本発明に係る下記（１）〜（４）の計器装置により達成される。
【００１１】
（１）回転駆動される指針と、前記指針の先端部にて指示される意匠が施された表示部、及び当該表示部の外周を取り囲み、その内周縁から外周縁にわたって反射率が次第に変化する透明透光性のグラデーション印刷が施された印刷部が表面に設けられた文字板と、前記印刷部を前記文字板の表面側から照明する第１の照明手段と、を備え、
前記第１の照明手段が、光源、及び当該光源からの光を集光して前記印刷部に向けて射出する導光部材、を含み、
前記導光部材の射出面において、前記印刷部の内周縁又は外周縁のいずれか反射率が高い前記グラデーション印刷が施された周縁側に向けて光を射出する面が凸面に、他方の反射率が低い前記グラデーション印刷が施された周縁側に向けて光を射出する面が凹面に形成されていることを特徴とする計器装置。
【００１２】
（２）前記印刷部を前記文字板の裏面側から照明する第２の照明手段をさらに備えたことを特徴とする（１）に記載の計器装置。
【００１３】
（３）前記印刷部が、その内周縁から外周縁に向けて前記表示部の前方又は後方に傾斜していることを特徴とする（１）又は（２）に記載の計器装置。
【００１４】
（４）前記グラデーション印刷が、前記印刷部の内周縁又は外周縁のいずれか前に位置する周縁から他方の周縁に向けて反射率が変化することを特徴とする（３）に記載の計器装置。
【００１６】
上記（１）の計器装置によれば、表示部を取り囲む印刷部には、その内周縁から外周縁にわたって反射率が次第に変化する透明透光性のグラデーション印刷が施されており、この印刷部を文字板の表面側から照明する第１の照明手段の照射光は印刷部にて反射されるが、反射率の低いグラデーション印刷が施された周縁では反射光が弱く文字板の地色が透けて見え、他方、反射率の高いグラデーション印刷が施された周縁側に向けて次第に反射光が強くなって光って見え、それに伴い文字板の地色が隠される。このように内周縁から外周縁にわたって反射率が次第に変化する透明透光性のグラデーション印刷が施された印刷部は、単純な着色印刷が施されたものに比べて光輝態様が変化に富み、それにより十分な立体感が醸し出され、視認性の向上を図ることができる。
また、透明透光性のグラデーション印刷が施された印刷部は、例えば日中等で第１の照明手段により照明されていない場合には、その全域において文字板の地色が透けて見え、これに対し夜間等で第１の照明手段により照明されている場合には、上記の通りの光輝態様を示し、第１の照明手段による照明の有無で異なる表現が可能となって、デザイン的にも優れる。
また、上記（１）の計器装置によれば、印刷部の内周縁又は外周縁のいずれか反射率が低いグラデーション印刷が施された周縁側には、導光部材の射出面における凹面にて拡散された光が照射され、そして、他方の反射率が高いグラデーション印刷が施された周縁側には、導光部材の射出面における凸面にて収束された光が照射されるので、印刷部において反射率の低いグラデーション印刷が施された周縁では反射光が一層弱く、他方、反射率の高いグラデーション印刷が施された周縁では反射光が一層強くなり、上記第１の照明手段による照明時の光輝態様がより明瞭なものとなって、さらに立体感が醸し出され、視認性の一層の向上を図ることができる。
【００１７】
上記（２）の計器装置によれば、印刷部を文字板の裏面側から照明する第２の照明手段の照射光のうち文字板の表面側に射出されるのは印刷部を透過した透過光であり、この第２の照明手段によれば、反射率が次第に変化するグラデーション印刷に影響されずに印刷部をほぼ均一に文字板の地色で光輝させることができる。それにより、例えば日中は第２の照明手段によって印刷部をほぼ均一に文字板の地色で光輝させ、夜間は第１の照明手段によって印刷部を上記の光輝態様とするなど、照明手段の切換えで顕著に異なる表現が可能となって、デザイン的に優れる。
【００１８】
上記（３）の計器装置によれば、印刷部が、その内周縁から外周縁に向けて表示部の前方（即ち、目視方向に表示部よりも手前側）又は後方（即ち、目視方向に表示部よりも奥側）に傾斜しており、印刷部の上記第１の照明手段による照明時の光輝態様と相まって、より立体感が醸し出され、視認性の向上を図ることができる。
【００１９】
上記（４）の計器装置によれば、グラデーション印刷が印刷部の内周縁又は外周縁のいずれか前に位置する周縁から他方の周縁に向けて反射率が変化しており、印刷部の傾斜と上記第１の照明手段による照明時の光輝態様との相乗効果を高めることができ、さらに立体感が醸し出され、視認性の一層の向上を図ることができる。
【発明の効果】
【００２１】
本発明によれば、十分な立体感を醸し出し、それにより視認性の向上を図ることができると共に、さらにデザイン的にも優れた計器装置を提供することができる。
【発明を実施するための最良の形態】
【００２２】
以下、本発明に係る好適な実施形態を図面に基づいて詳細に説明する。
【００２３】
（第１実施形態）
図１は本発明に係る計器装置の第１実施形態の一部破断外観斜視図、図２は図１に示す計器装置のII−II線断面図、図３は図１に示す計器装置に用いられる文字板の印刷部周りの一部破断外観斜視図である。
尚、本明細書において、目視者に対向する側を表（前）とする。
【００２４】
図１〜図３に示すように、本実施形態の計器装置１０は、回路基板１１と、この回路基板１１に組み付けられた駆動装置１２と、この駆動装置１２から伸びた回転軸１３に連結されて回転駆動される指針１４と、この指針１４の背後に配置された文字板１５と、この文字板１５の所要領域は露呈させつつ該文字板１５の表面を覆う見返し１６と、この見返し１６と回路基板１１との間にあって文字板１５の外周に配置された第１の照明手段１７と、回路基板１１と文字板１５との間に配置されたケース１８とから構成されている。
【００２５】
回路基板１１は、例えばガラスエポキシ系基材に配線パターンを施した硬質回路基板であって、駆動装置１２の駆動制御を行う制御装置や、その他、抵抗、コンデンサ等の各種回路部品が前記配線パターンに電気接続されている。
【００２６】
駆動装置１２は、例えばステッピングモータであって、回転軸１３を回路基板１１に貫通させて回路基板１１の裏面に装着されており、半田付け等の適宜導通手段により前記配線パターンに電気的に接続されている。そして、指針１４は、この駆動装置１２から伸びた回転軸１３の先端に連結され、回転駆動される。
【００２７】
文字板１５は、例えば黒色など有彩色の色調を有する不透明な合成樹脂で形成されており、回路基板１１の表面に載置されているケース１８によってその裏面を支持され、該ケース１８に組付けられている。
【００２８】
文字板１５の中央部には、指針１４の先端部の回転軌道に沿って配置されて指針１４の先端部により指示される文字や目盛などの意匠が施された円形状の表示部２１が設けられている。表示部２１において、文字や目盛などの意匠部分は透光性とされており、回路基板１１においてこれら意匠部分の背後にあたる位置には、例えばＬＥＤ等の文字板照明用光源２２が配設されており、これら意匠部分は、光源２２から射出された光を透過して光輝するようになっている。
【００２９】
文字板１５には、表示部２１の外周を取り囲み、その内周縁から外周縁に向けて表示部２１の後方に傾斜した円輪状の印刷部２３が設けられている。そして、印刷部２３には、前に位置する内周縁から外周縁に向けて反射率が次第に高くなる透明透光性のグラデーション印刷が施されている。このようなグラデーション印刷は、例えば、図３に示すようにクリアインク粒の疎密によってなされる。
【００３０】
さらに文字板１５には、印刷部２３の外周を取り囲む円輪状のフランジ部２４が設けられている。フランジ部２４には、適宜な間隔をおいて周方向に複数の取付孔２５が穿設されており、印刷部２３を文字板１５の表面側から照明するための第１の照明手段１７の一構成要素である後述の導光部材３１が、その係合突起３２を取付孔２５に係合させて組み付けられている。
【００３１】
第１の照明手段１７は、回路基板１１に配設された、例えばＬＥＤ等の複数の光源３３と、これら光源３３の光を集光して文字板１５の印刷部２３に向けて射出する導光部材３１と、で構成されている。
【００３２】
導光部材３１は、例えば透光性のアクリル樹脂によって形成されたプリズム部材であって、文字板１５のフランジ部２４に載置された円環状の射出部３４と、この射出部３４の外周縁部から回路基板１１に向けて垂設された複数の集光部３５と、を備えている。
【００３３】
光源３３は、回路基板１１において導光部材３１の各集光部３５の端面に対向する位置に配置されている。これらの光源３３から射出された光は、導光部材３１の各集光部３５の端面に入射し、導光部材３１の内部で反射されながら射出部３４の内周面である射出面３６に導かれる。この射出面３６は、その前縁が後縁に比べて小径とされ、それにより文字板１５の傾斜した印刷部２３と同様に傾斜して印刷部２３と略対向しており、この射出面３６から文字板１５の印刷部２３に向けて光が照射される。
【００３４】
導光部材３１の射出面３６から射出された光のうち、この射出面３６の主に前縁側から射出された光が、反射率の低いグラデーション印刷が施された印刷部２３の内周縁側を照明し、射出面３６の主に後縁側から射出された光が、反射率の高いグラデーション印刷が施された印刷部２３の外周縁側を照明する。そこで、射出面３６の前縁側は凹面３６ａとされ、この凹面３６ａから射出される光は拡散されるようになっており、また射出面３６の後縁側は凸面３６ｂとされ、この凸面３６ｂから射出される光は収束されるようになっている。
【００３５】
尚、導光部材３１の射出部３４の前端面３７には、例えば白色など光を反射しやすい有彩色の色調を有するインクによる印刷が施され、さらにその前面に装飾性の高い、例えば銀色などのインクによる印刷が施されている。
【００３６】
このように構成された本実施形態の計器装置１０によれば、文字板１５の表示部２１を取り囲む印刷部２３には、その内周縁から外周縁にわたって反射率が次第に変化する透明透光性のグラデーション印刷が施されており、この印刷部２３が第１の照明手段１７により照明された際には、反射率の低いグラデーション印刷が施された内周縁では反射光が弱く、文字板１５の地色（即ち、本実施形態では文字板１５を形成する合成樹脂の色）が透けて見え、そして反射率の高いグラデーション印刷が施された外周縁側に向けて次第に反射光が強くなって光って見え、それに伴い文字板１５の地色が隠される。このように内周縁から外周縁にわたって反射率が次第に変化する透明透光性のグラデーション印刷が施された印刷部２３は、単純な着色印刷が施されたものに比べて光輝態様が変化に富み、それにより十分な立体感が醸し出され、視認性の向上を図ることができる。
また、透明透光性のグラデーション印刷が施された印刷部２３は、例えば日中等で照明されない場合には、その全域において文字板１５の地色が透けて見え、これに対し夜間等で照明された場合には、上記の通りの光輝態様を示し、照明の有無で異なる表現が可能となって、デザイン的にも優れる。
【００３７】
また、本実施形態の計器装置１０によれば、文字板１５の印刷部２３が、その内周縁から外周縁に向けて表示部２１の後方に傾斜しており、上記第１の照明手段１７による照明時の印刷部２３の光輝態様と相まって、より立体感が醸し出され、視認性の向上を図ることができる。
【００３８】
また、本実施形態の計器装置１０によれば、グラデーション印刷が印刷部２３の内周縁及び外周縁のうち前に位置する内周縁から他方の外周縁に向けて反射率が高くなっており、印刷部２３の傾斜と上記第１の照明手段１７による照明時の光輝態様との相乗効果を高めることができ、さらに立体感が醸し出され、視認性の一層の向上を図ることができる。
【００３９】
また、本実施形態の計器装置１０によれば、印刷部２３の内周縁及び外周縁のうち反射率が低いグラデーション印刷が施された内周縁側には、導光部材３１の射出面３６における凹面３６ａにて拡散された光が照射され、そして、他方の反射率が高いグラデーション印刷が施された外周縁側には、導光部材３１の射出面３６における凸面３６ｂにて収束された光が照射されるので、印刷部２３において、反射率の低いグラデーション印刷が施された内周縁では反射光が一層弱く、他方、反射率の高いグラデーション印刷が施された外周縁では反射光が一層強くなり、上記第１の照明手段１７による照明時の光輝態様がより明瞭なものとなって、さらに立体感が醸し出され、視認性の一層の向上を図ることができる。
【００４０】
尚、上述した計器装置１０において、文字板１５の地色は、該文字板１５の表面に有彩色の色調のインクを印刷して設定するようにしてもよい。この場合、印刷部２３には、有彩色の色調のインクにより内周縁から外周縁に向かって次第に色が濃くなるグラデーション印刷を施し、さらにその表面に内周縁から外周縁にわたって反射率が次第に変化する透明透光性のグラデーション印刷を施すようにしてもよい。これによれば、例えば日中等で第１の照明手段１７による照明がない場合の印刷部２３における表現を変化に富んだものにすることができる。
【００４１】
また、上述した計器装置１０において、文字板１５の印刷部２３を半透明な合成樹脂で形成するなどして透光性とし、文字板照明用光源２２により印刷部２３を文字板１５の裏面側から照明する（即ち、光源２２を第２の照明手段として使用する）ようにしてもよい。これによれば、印刷部２３を文字板１５の裏面側から照明する第２の照明手段２２の照射光のうち文字板１５の表面側に射出されるのは印刷部２３を透過した透過光であり、この第２の照明手段２２によって、反射率が次第に変化するグラデーション印刷に影響されずに印刷部２３をほぼ均一に文字板１５の地色で光輝させることができる。それにより、例えば日中は第２の照明手段２２によって印刷部２３をほぼ均一に文字板１５の地色で光輝させ、夜間は第１の照明手段１７によって印刷部２３を上記の光輝態様とするなど、照明手段１７，２２の切換えで顕著に異なる表現が可能となって、デザイン的に優れる。
【００４２】
また、上述した計器装置１０において、グラデーション印刷は印刷部２３の内周縁から外周縁に向けて反射率が高くなっているものとして説明したが、内周縁から外周縁に向けて反射率が低くなるようにしてもよい。
【００４３】
（第２実施形態）
図４は本発明に係る計器装置の第２実施形態の断面図である。
尚、上述した第１実施形態の計器装置１０と共通する部材には同一符号を付し、説明を省略あるいは簡略する。
【００４４】
図４に示すように、本実施形態の計器装置５０は、回路基板１１と、この回路基板１１に組み付けられた駆動装置１２と、この駆動装置１２から伸びた回転軸１３に連結されて回転駆動される指針１４と、この指針１４の背後に配置された文字板５５と、この文字板５５の所要領域は露呈させつつ該文字板５５の表面を覆う見返し５６と、回路基板１１と文字板５５との間に配置されたケース５８と、文字板５５と回路基板１１との間に設けられた第１の照明手段５７と、から構成されている。
【００４５】
文字板５５は、回路基板１１の表面に載置されているケース５８によりその裏面を支持され、該ケース５８に組み付けられている。文字板５５の中央部には、例えば車両状態を示す文字や記号、その他目盛などの意匠が施された円形状の表示部６１ａが設けられ、そして、該表示部６１ａの外周縁から後方に傾斜しながら広がる円輪状の傾斜部６２を介し、指針１４の先端部の回転軌道に沿って配置されて指針１４の先端部により指示される目盛などの意匠が施された円輪状の表示部６１ｂが設けられている。
【００４６】
表示部６１ａ，６１ｂにおいて、文字や目盛などの意匠部分は透光性とされており、回路基板１１においてこれら意匠部分の背後にあたる位置には、例えばＬＥＤ等の文字板照明用光源２２が配設されており、これらの意匠部分は、光源２２から射出された光を透過して光輝するようになっている。また、傾斜部６２は、その全体が透光性とされている。
【００４７】
さらに、文字板５５には、表示部６１ｂの外周を取り囲み、その内周縁から外周縁に向けて表示部２１の前方に傾斜した円輪状の印刷部６３が設けられている。そして、印刷部６３には、前に位置する外周縁から内周縁に向けて反射率が次第に高くなる透明透光性のグラデーション印刷が施されている。
【００４８】
第１の照明手段５７は、回路基板１１に配設された例えばＬＥＤ等の複数の光源７３と、これら光源７３の光を集光して文字板５５の印刷部６３に向けて射出する導光部材７１と、で構成されている。
【００４９】
導光部材７１は、例えば透光性のアクリル樹脂によって形成されたプリズム部材であって、文字板５５の傾斜部６２の背後に配置された円環状の射出部７４と、この射出部７４の外周縁部から回路基板１１に向けて垂設された複数の集光部７５と、を備えており、ケース５８に組付けられている。
【００５０】
光源７３は、回路基板１１において、導光部材７１の各集光部７５の端面に対向する位置に配置されている。これらの光源７３から射出された光は、導光部材７１の各集光部７５の端面に入射し、導光部材７１の内部で反射されながら射出部７４の外周面である射出面７６に導かれる。射出面７６から射出された光は、文字板５５の傾斜部６２を透過して印刷部６３にその表面側から照射される。
【００５１】
導光部材７１の射出面７６から射出された光のうち、この射出面７６の主に前縁側から射出された光が、反射率の低いグラデーション印刷が施された印刷部６３の外周縁側を照明し、射出面７６の主に後縁側から射出された光が、反射率の高いグラデーション印刷が施された印刷部６３の内周縁側を照明する。そこで、射出面７６の前縁側は凹面７６ａとされ、この凹面７６ａから射出される光は拡散されるようになっており、また射出面７６の後縁側は凸面７６ｂとされ、この凸面７６ｂから射出される光は収束されるようになっている。
【００５２】
このように構成された本実施形態の計器装置５０によれば、文字板５５の表示部６１ｂを取り囲む印刷部６３には、その内周縁から外周縁にわたって反射率が次第に変化する透明透光性のグラデーション印刷が施されており、この印刷部６３が第１の照明手段５７により照明された際には、反射率の低いグラデーション印刷が施された外周縁では反射光が弱く、文字板５５の地色が透けて見え、そして反射率の高いグラデーション印刷が施された内周縁側に向けて次第に反射光が強くなって光って見え、それに伴い文字板５５の地色が隠される。このように内周縁から外周縁にわたって反射率が次第に変化する透明透光性のグラデーション印刷が施された印刷部６３は、単純な着色印刷が施されたものに比べ、その光輝態様が変化に富み、それにより十分な立体感が醸し出され、視認性の向上を図ることができる。
また、透明透光性のグラデーション印刷が施された印刷部６３は、例えば日中等で照明されない場合には、その全域において文字板５５の地色が透けて見え、これに対し夜間等で照明された場合には、上記の通りの光輝態様を示し、照明の有無で異なる表現が可能となって、デザイン的にも優れる。
【００５３】
また、本実施形態の計器装置５０によれば、文字板５５の印刷部６３が、その内周縁から外周縁に向けて表示部６１ｂの前方に傾斜しており、上記第１の照明手段５７による照明時の印刷部６３の光輝態様と相まって、より立体感が醸し出され、視認性の向上を図ることができる。
【００５４】
また、本実施形態の計器装置５０によれば、グラデーション印刷が印刷部６３の内周縁及び外周縁のうち前に位置する外周縁から他方の内周縁に向けて反射率が高くなっており、印刷部６３の傾斜と上記第１の照明手段５７による照明時の光輝態様との相乗効果を高めることができ、さらに立体感が醸し出され、視認性の一層の向上を図ることができる。
【００５５】
また、本実施形態の計器装置５０によれば、印刷部６３の内周縁及び外周縁のうち反射率が低いグラデーション印刷が施された外周縁側には、導光部材７１の射出面７６における凹面７６ａにて拡散された光が照射され、そして、他方の反射率が高いグラデーション印刷が施された内周縁側には、導光部材７１の射出面７６における凸面７６ｂにて収束された光が照射されるので、印刷部６３において、反射率の低いグラデーション印刷が施された外周縁では反射光が一層弱く、他方、反射率の高いグラデーション印刷が施された内周縁では反射光が一層強くなり、上記第１の照明手段５７による照明時の光輝態様がより明瞭なものとなって、さらに立体感が醸し出され、視認性の一層の向上を図ることができる。
【００５６】
尚、本発明は、前述した実施形態に限定されるものではなく、適宜、変形、改良等が可能である。
【図面の簡単な説明】
【００５７】
【図１】本発明に係る計器装置の第１実施形態の一部破断外観斜視図である。
【図２】図１に示した計器装置のII−II線断面図である。
【図３】図１に示した計器装置に用いられる反射率可変透明印刷部周りの一部破断外観斜視図である。
【図４】本発明に係る計器装置の第２実施形態の断面図である。
【図５】従来の計器装置の平面図である。
【図６】図５に示した計器装置の断面図である。
【図７】図５に示した計器装置に用いられる傾斜部周りの一部破断外観斜視図である。
【符号の説明】
【００５８】
１０  計器装置
１２  駆動装置
１４  指針
１５  文字板
１７  第１の照明手段
２１  表示部
２２  文字板照明用光源（第２の照明手段）
２３  印刷部
３１  導光部材
３３  光源
３６  射出面
３６ａ  凹面
３６ｂ  凸面
【図１】
0004812500.tif 000002
【図２】
0004812500.tif 000003
【図３】
0004812500.tif 000004
【図４】
0004812500.tif 000005
【図５】
0004812500.tif 000006
【図６】
0004812500.tif 000007
【図７】
0004812500.tif 000008